(57)【要約】【課題】従来の画像表示デバイスを用いて解像度を高めることが可能なＨＭＤ装置を提供する。【解決手段】使用者の頭部に装着可能であり、入力画像を表示する長方形の表示画面を有する左右目用の各画像表示デバイス１１Ｌ，１１Ｒと、前記各表示画面に表示された画像を前記使用者の視野内に結像させる光学系１２，１４，１５とを備えたＨＭＤ装置において、前記各画像表示デバイスはそれぞれ前記長方形の表示画面の長辺または短辺を垂直にして縦長または横長配置にして、前記入力画像を分割した左半分の画像は前記左目用表示デバイスに表示すると共に前記分割した右半分の画像は前記右目用表示デバイスに表示して、両目で見ることによって前記入力画像全体が見えるようした。【選択図】　　　図１
2004007315.tif 000002
【特許請求の範囲】
【請求項１】
使用者の頭部に装着可能であり、入力画像を表示する長方形の表示画面を有する左右目用の各画像表示デバイスと、前記各表示画面に表示された画像を前記使用者の視野内に結像させる光学系とを備えたヘッドマウントディスプレイ装置において、
前記各画像表示デバイスはそれぞれ前記長方形の表示画面の長辺または短辺を垂直にして縦長または横長配置にして、
前記入力画像の略左半分の画像は前記左目用表示デバイスに表示すると共に前記入力画像の略右半分の画像は前記右目用表示デバイスに表示して、前記使用者の両目で見ることによってはじめて前記入力画像全体が見えるように構成したことを特徴とするヘッドマウントディスプレイ装置。
【請求項２】
使用者の頭部に装着可能であり、入力画像を表示する長方形の表示画面を有する左右目用の各画像表示デバイスと、前記各表示画面に表示された画像を前記使用者の視野内に結像させる光学系とを備えたヘッドマウントディスプレイ装置において、
前記各画像表示デバイスはそれぞれ前記長方形の表示画面の長辺または短辺を垂直にして縦長または横長配置にして、
前記縦長配置の場合は前記入力画像を画像メモリに一旦取り込んだ後、前記取り込んだ入力画像の左側の最初の画素位置と前記取り込んだ入力画像の略右半分の画像の最初の画素位置とから、垂直方向に１ラインずつ交互に読み出し、
前記横長配置の場合は前記入力画像の各水平期間の信号の内、略左半分の信号と略右半分の信号とを左右目用ラインメモリに一旦取り込んだ後、水平方向にそれぞれ読み出し、前記各画像表示デバイスの表示画面に出力することを特徴としたヘッドマウントディスプレイ装置。
【発明の詳細な説明】
【０００１】
【発明の属する技術分野】
本発明はヘッドマウントディスプレイ装置に係り、特に高解像度の表示が可能なヘッドマウントディスプレイ装置に関する。
【０００２】
【従来の技術】
ビデオやＤＶＤを観賞するディスプレイ装置の一つとしてヘッドマウントディスプレイ（ＨＭＤ　フェイスマウントディスプレイＦＭＤともいわれている）装置が開発されている。
ＨＭＤ装置は使用者の頭部に装着可能であり、入力画像をそれぞれ表示する左右目用の液晶等の表示パネル（デバイス）とそれが目で見えるようにするための光学系とで構成されている。
【０００３】
ＨＭＤ装置は見かけ上、大画面の画像を鑑賞することが出来るが、高解像度にするには、表示パネルを構成する画素サイズの大きさはそのままで、表示パネルの大きさを大きくして使用するか、表示パネルの大きさはそのままで画素サイズを小さくして使用するか、またはその両方を行ったものを使用するかなどの方法が考えられる。
【０００４】
しかし、表示パネルを大きくすることは、コストアップや重量増につながり、出来るだけ避けたい。
また、表示パネルの画素サイズを小さくすることは、技術的に難しいため容易に出来ないという課題がある。
また、同じ入力画像を左右目用の表示パネルにそれそれ表示させて、両目で見るようにしているが、立体視等を主目的としなければ入力画像を重複させて見るようにしなくてもよいので、これをＨＭＤ装置の画像表示に利用出来ないかという課題がある。
【０００５】
【発明が解決しょうとする課題】
そこでかかる課題を解決して、表示パネルを大きく重くせずに、表示パネルの画素サイズも小さくしないで、表示画面をより高解像度にして観賞可能なＨＭＤ装置の出現が望まれていた。
本発明はこの問題に鑑みてなされたものであり、左右目用の表示デバイスの長方形の表示面の長辺を垂直に配置し、１つの入力画像を左右半分ずつに分割した画像を前記左右目用の表示デバイスの表示面にそれぞれ表示し、両目で見ることによってはじめて入力画像全体が見えるように構成したＨＭＤ装置を提供するものである。
【０００６】
【課題を解決するための手段】
上記課題を解決するために、
請求項１に記載された発明は、
使用者の頭部に装着可能であり、入力画像を表示する長方形の表示画面を有する左右目用の各画像表示デバイス１１Ｌ，１１Ｒと、前記各表示画面に表示された画像を前記使用者の視野内に結像させる光学系１２，１４，１５とを備えたヘッドマウントディスプレイ装置において、
前記各画像表示デバイスはそれぞれ前記長方形の表示画面の長辺または短辺を垂直にして縦長または横長配置にして、
前記入力画像の略左半分の画像は前記左目用表示デバイスに表示すると共に前記入力画像の略右半分の画像は前記右目用表示デバイスに表示して、前記使用者の両目で見ることによってはじめて前記入力画像全体が見えるように構成したことを特徴とするヘッドマウントディスプレイ装置を提供し、
請求項２に記載された発明は、
使用者の頭部に装着可能であり、入力画像を表示する長方形の表示画面を有する左右目用の各画像表示デバイス１１Ｌ，１１Ｒと、前記各表示画面に表示された画像を前記使用者の視野内に結像させる光学系１２，１４，１５とを備えたヘッドマウントディスプレイ装置において、
前記各画像表示デバイスはそれぞれ前記長方形の表示画面の長辺または短辺を垂直にして縦長または横長配置にして、
前記縦長配置の場合は前記入力画像を画像メモリ１１２に一旦取り込んだ後、前記取り込んだ入力画像の左側の最初の画素位置と前記取り込んだ入力画像の略右半分の画像の最初の画素位置とから、垂直方向に１ラインずつ交互に読み出し、
前記横長配置の場合は前記入力画像の各水平期間の信号の内、略左半分の信号と略右半分の信号とを左右目用ラインメモリ８２Ｌ，８２Ｒに一旦取り込んだ後、水平方向にそれぞれ読み出し、前記各画像表示デバイスの表示画面に出力することを特徴としたヘッドマウントディスプレイ装置を提供するものである。
【０００７】
【発明の実施の形態】
本発明のＨＭＤ装置の実施の形態につき、好ましい実施例により、以下に図と共に説明する。
まず、本発明のＨＭＤ装置の原理について説明する。
本発明は、人間の目の見え方の特性を利用して、左右それぞれの目で見える画像エリアを制限し、両目あわせて画像全面（画像全体）が見えるようにすることで、本来のパネルの解像度以上の表示を可能とした。特に表示パネルを縦長に設置することにより上下方向に画素数の多い表示を可能としたものである。
【０００８】
図１は、本発明のＨＭＤ装置の一実施例のブロック構成（ワイド画面構成のもの）を示したものであり、顔の横に例えば液晶よりなる二次元表示パネル１１を設置し、レンズ１２で拡大した画像をそれぞれの目のほぼ正面に位置したミラー１５で反射させて見る構造のＨＭＤ装置である。
【０００９】
図３はＨＭＤ装置の表示パネル１１を駆動する回路のブロック構成を示した図である。映像入力手段１８と演算部１３とは図６の表示画像信号源８１、ラインメモリ回路８２に対応している。
【００１０】
図１のＨＭＤ装置は、二次元液晶表示デバイス（表示パネル、画像表示デバイス）１１Ｌ，１１Ｒ、レンズ１２Ｌ，１２Ｒ、演算部（コントローラ）１３、ガラス１４Ｌ，１４Ｒ、ミラー１５Ｌ，１５Ｒ、位置調整入力手段１６、駆動回路（ドライバ）１７Ｌ，１７Ｒ、映像入力手段１８、角度センサ１９、眼鏡フレーム２１、及び位置調整ツマミ（ネジ）２２より構成されている。
【００１１】
図１は、顔の横に二次元表示パネル（デバイス）１１Ｌ，１１Ｒをそれぞれ設置し、レンズ１２Ｌ，１２Ｒを介して拡大した画像をそれぞれの目のほぼ正面に配置したミラー１５Ｌ，１５Ｒでそれぞれ反射させて、それらを頭の中で合成して見る構造のＨＭＤ装置である。
前記各画像表示デバイス１１Ｌ，１１Ｒはそれぞれ長方形の表示画面の短辺を垂直にして横長に配置される。
【００１２】
遠方を見た時、目の正面に表示パネルの表示画面の中心はなく、左目用は左半分の画像が、右目用は右半分の画像が見える。
【００１３】
入力された画像は駆動回路１７Ｌ，１７Ｒにより画面が光学系とは逆方向にオフセットされていて、約２ｍ前方を見たとき左右の表示された画像の隣接部がぴったりと完全に一致して見えるように画像表示位置調整手段である画像表示位置調整ツマミ（ネジ）２２により調整されている。
【００１４】
左右目用の液晶表示デバイス１１Ｌ，１１Ｒに表示された画像が左右目に見えている様子を図１に示す。
左右それぞれの目には左右の半分の画像しか見えていないが、脳で左右合成されあたかも完全な画像が表示されているように見える。
【００１５】
左右の目で見える画像の一部が重なっている場合、２台のプロジェクタ画像をスクリーンに投射した場合と異なり、重なった部分の明るさが２倍に見えることはなく同じに見える。これが人間の目の特性である。
【００１６】
例えば画素数６４０×４８０の表示パネルを用いた場合、左右に同じ画像を表示した場合はそのままの画素数であるが、左右の画像の重複部が少なくなるにつれて表示画素数は増加する。
【００１７】
よって図１は重複部がない場合のもので、左右の画像の重複部を作らない構成のものとして、最大１２８０×４８０のワイド画面を実現させるものである。
【００１８】
つぎに、表示パネルの駆動方法、及び表示パネルの駆動信号処理回路のブロック構成について説明する。
なお、本発明の主旨は２つの表示パネルを備えたＨＭＤ装置で、２つの表示パネルの表示画像を人間の視覚特性を利用して合成することで高解像度を得る点にある。
【００１９】
図４及び図５は本発明のＨＭＤ装置で使用される表示パネル構成の一実施例である。
本発明の表示パネルとしては、例えば図示のようなアクティブマトリクス型の液晶表示パネルを用いることが出来る。
【００２０】
図４は本発明のＨＭＤ装置に使用される液晶表示装置の駆動回路基板に形成される駆動回路の概要を示した図である。
水平走査回路３１はシフトレジスタ回路３２及びシフトレジスタの出力でオン・オフ制御されるサンプリングスイッチ群ＳＷ（３３）で構成され、水平同期信号ＨＳＴ、クロック信号ＨＣＫ及び表示信号ＳＩＧを入力することにより、表示信号を信号電極Ｄ１，…，Ｄｍ（ｍは自然数）に順次サンプリングして供給する。
【００２１】
垂直走査回路（行走査電極駆動回路）３６はシフトレジスタ回路で構成され、垂直同期信号ＶＳＴ，クロック信号ＶＣＫを入力することにより選択信号電極Ｇ１，…，Ｇｎ（ｎは自然数）に対し映像の水平期間毎に順次選択信号を供給する。
前記信号電極Ｄ１，…，Ｄｍ及び選択信号電極Ｇ１，…，Ｇｎの各交差部には画素回路Ｐｍｎ（ｍ、ｎは自然数）がそれぞれ構成されている。
【００２２】
図５に示される画素回路ＰｍｎはＭＯＳトランジスタスイッチＴｒ、信号蓄積用の静電容量Ｃｓ、及び表示電極で構成され、ＭＯＳトランジスタスイッチＴｒの一方の主端子には前記信号電極Ｄがもう一方の主電極には液晶駆動用電極が接続され、制御端子には選択信号電極Ｇが接続されている。
液晶駆動用電極の対向部には液晶表示材料層ＬＣＭを介して共通電極を形成した透明電極が配置される。
【００２３】
前記垂直走査回路３６からは画素回路Ｐｍｎを構成するＭＯＳトランジスタスイッチＴｒの制御端子に選択信号が供給され、１水平期間毎に１行分のＭＯＳトランジスタスイッチＴｒが一括して順次オン状態となり、選択された各画素回路Ｐｍｎでは信号電極Ｄの表示信号が信号蓄積容量Ｃｓに書き込まれる。
この電圧はつぎの垂直走査期間に新たな信号が書き込まれるまでの非選択期間中、保持され、各画素に対応した液晶を表示信号に対応した電圧で駆動する。
【００２４】
表示素子として使用される液晶表示パネル（デバイス）について、以下に説明する。
使用される液晶表示パネルには大別して透過型方式と反射型方式とがある。
前者は透過性絶縁基板上に薄膜トランジスタと透明電極とからなる画素をマトリクス状に配列した液晶表示パネルを使用して、液晶表示パネルを透過する光を画素毎の液晶で変調して表示する方式である。
この透過型方式は光を投射するための光学系の構成が比較的簡単に構成出来るというメリットがある。
【００２５】
しかし、表示パネルを小型化し、画素密度を高めるとトランジスタや配線部分の画素面積に占める割合が大きくなり、開口率が低下する問題がある。
また、画素の開口構造が投射画像にはっきりと表示されるため、特に自然画像を表示した場合に映像境界での滑らかさに欠けるという欠点もある。
【００２６】
これに対して、後者の反射型方式は各画素が反射電極で構成される。
この反射型方式では、通常の半導体基板、例えばシリコン基板上にＬＳＩプロセスで駆動回路部を構成することが可能で、トランジスタ及び配線全てを反射電極の下層に配置することが出来るため、開口率を低下させることなく高い画素密度を実現させることが出来るという利点がある。
本発明に適用する表示パネルを液晶表示パネルで構成する場合には、上記透過型方式と反射型方式のいずれを用いてもよい。
【００２７】
ＨＭＤ装置を構成する表示パネルの駆動処理ブロック構成について図と共に説明する。
図６、図７、及び図９にＨＭＤ装置の表示パネルを駆動する駆動信号処理ブロックの構成を示す。
【００２８】
図６は２つの表示パネルでそれぞれ入力原画像の左右の１／２ずつを表示させ、光学系及び人間の視覚上で合成する駆動信号処理ブロックである。
【００２９】
図６は表示画像信号源８１、左右のラインメモリ回路ＬＭ−Ｌ（８２Ｌ），ＬＭ−Ｒ（８２Ｒ）、左右の表示パネル駆動回路ＰＤ−Ｌ（８３Ｌ），ＰＤ−Ｒ（８３Ｒ）、及び左右の表示パネル１１Ｌ，１１Ｒより構成される。
【００３０】
図６において表示画像信号源８１からの表示信号をラインメモリ回路ＬＭ−Ｌ（８２Ｌ）、ラインメモリ回路ＬＭ−Ｒ（８２Ｒ）により画面の左右分割に対応した表示信号に分割する。
【００３１】
このとき入力画像信号を水平期間の１／２ずつに振り分けるが、２枚の表示パネルの繋がりを考慮してつなぎ部に相当する信号データを重複（オーバーラップ）するような重複部を有する信号形態に分割してもよい。
左右のラインメモリ回路ＬＭ−Ｌ（８２Ｌ）、ＬＭ−Ｒ（８２Ｒ）の並列読出し信号は左右の表示パネル駆動回路ＰＤ−Ｌ（８３Ｌ），ＰＤ−Ｒ（８３Ｒ）にそれぞれ供給される。
【００３２】
左右の表示パネル駆動回路ＰＤ−Ｌ（８３Ｌ），ＰＤ−Ｒ（８３Ｒ）では入力信号を表示パネルの駆動に適したレベルに変換後、各々対応した表示パネルに表示信号を供給する。
【００３３】
以上により、２枚の表示パネルには各々左半分、右半分の入力画像が分割して分配されて表示され、それらを両目によってはじめて入力画像全体が見るようになり、左右が合成されたワイド画面の表示が実現される。
【００３４】
図７は２つの表示パネルで原画像の１／２ずつを表示させ、光学系及び人間の視覚上で合成する駆動信号処理ブロックである。
図７のものは、表示パネル駆動回路ＰＤ（９２）と２つの表示パネル９３Ｌ、９３Ｒとより構成される。
【００３５】
図７において、表示画像信号源９１からの表示信号は表示パネル駆動回路ＰＤ（９２）に供給されている。
表示パネル駆動回路ＰＤ（９２）では入力信号を表示パネルの駆動に適したレベルに変換後、２つの表示パネル９３Ｌ、９３Ｒに同一の表示信号を供給する。
【００３６】
一方２つの表示パネルには、水平走査の起点タイミングを制御する水平シフトトランジスタのスタート信号として各々ＨＳＴ−ＬとＨＳＴ−Ｒを異なるタイミングで供給する。
【００３７】
表示信号の１水平期間におけるこれら２つのパネルのＨＳＴ信号のタイミング概要を図８に示した。
図８の左目用表示パネルの水平スタート信号ＨＳＴ−Ｌは１水平期間の表示信号の先頭で出力し、右目用表示パネルの水平スタート信号ＨＳＴ−Ｒは１水平期間の表示信号全体の１／２ずれた時刻に出力する。
【００３８】
このような駆動タイミング制御を行うことで、左目用表示パネルに原信号の左半分の画像を表示させ、右目用表示パネルに原信号の右半分の画像を表示させることが出来る。
なお、左右目用の画像に重複部を設ける場合にはその分、右目用の画像の水平スタート信号ＨＳＴ−Ｒは進ませる。
【００３９】
本構成では、２つの表示パネルに同一の表示信号を供給し、左右パネル表示画像の分割を駆動タイミング信号の設定で実現出来るため、前記実施例のようなラインメモリ回路は不要であり、表示パネル駆動回路ＰＤを２つのパネルで共通化出来、外部駆動回路の規模が縮小出来る。従って小型、低消費電力のＨＭＤ装置の実現が可能となる。
【００４０】
上記の特徴は、２つの表示パネルを横長に配置し、各パネルの短辺方向に画像が連続・合成するように構成したものである。一般的に画像表示用パネルのアスペクト比（表示エリアの水平、垂直寸法比）は４：３、１６：９等、横長に構成するケースがほとんどである。
【００４１】
これより、表示パネルを水平走査方向を基準にして単純に横長配置とした場合、合成画像は更に横方向に最大で２倍のワイド画面となる。
一般的な映像ソースを基準に考えた場合には、上記のものは画素数が有効に使われてなく、または合成画像が極端に横長のワイド画面になってしまうという問題がある。
この問題を解決するには現行の表示パネルをその表示パネルの長方形の表示画面の長辺を垂直にし配置して、縦長にして使用すればよい。
【００４２】
図２は入力画像を表示する長方形の表示画面を有する左右目用の各表示パネルを縦にして使用した本発明のＨＭＤ装置のブロック構成の一実施例を示したものである。
【００４３】
図３はＨＭＤ装置の左右目用の表示パネル１１Ｌ，１１Ｒを駆動する回路のブロック構成を示した図である。映像入力手段１８と演算部１３は図９の表示画像信号源１１１、フレームバッファ回路（ＦＢ）１１２、縦ラインメモリ回路１１３に対応している。
この場合、例えば、６４０×４８０の縦横比が４：３の表示パネルを縦長にしたとき最大９６０×６４０の縦横比が３：２の表示が実現される。
【００４４】
図８に示した駆動方法をそのまま適用するには水平と垂直の走査ライン数を逆転した、水平より垂直の画素数が多い表示パネル４８０×６４０を製作して使用すればよい。
【００４５】
従来の６４０×４８０の表示パネルを使用したものと比較して、本発明の６４０×４８０の表示パネルを縦長にして使用し９６０×６４０の表示パネルは垂直の解像度を３割程度高めることが可能な構成となる。
【００４６】
従来の横長構造のパネルを使用した場合の駆動信号処理ブロックの実施例（請求項２に記載された発明）を図９に示した。
前記各画像表示デバイス１１４Ｌ，１１４Ｒはそれぞれ前記表示画１１４ＳＬ，１１４ＳＲの長方形の長辺を図９に示されるように垂直にして配置して前記表示画面を縦長に見るようにしてある。
【００４７】
図９において、ＦＢ（１１２）はフレームバッファ回路（画像メモリ）であり、表示画像信号源１１１の原画像１フレーム分の信号をＦＢ（１１２）に水平方向に順次書き込んでメモリ後、読出しアドレス制御によって、読出し時には画像を書込み時の水平方向に対して直交方向（垂直方向）に１ラインずつ左半分画像の最初と右半分画像の最初とから交互に読み出す。
【００４８】
ＦＢ（１１２）からの出力画像データの走査方向及び順序は、原画像の縦方向の１ラインを単位として、左半分の第１番目の縦方向の１ライン（ａ），右半分の第１番目の縦方向の１ライン（ｂ），左半分の第２番目の縦方向の１ライン（ａ）’，右半分の第２番目の縦方向の１ライン（ｂ）’，…、というように左右エリアに対し交互になるように読出しを制御する。
【００４９】
縦方向走査に変換した左右の各画面からの画像信号は縦ラインメモリ回路ＬＭ−Ｌ（１１３Ｌ）、ＬＭ−Ｒ（１１３Ｒ）で同時並列化する。
縦ラインメモリ回路ＬＭ−Ｌ（１１３Ｌ）、ＬＭ−Ｒ（１１３Ｒ）の出力は表示パネル駆動回路ＰＤ−Ｌ（１１４ＬＤ）、ＰＤ−Ｒ（１１４ＲＤ）に各々供給される。
【００５０】
表示パネル駆動回路ＰＤ−Ｌ（１１４ＬＤ）、ＰＤ−Ｒ（１１４ＲＤ）では入力信号を画像表示デバイス（パネル）１１４Ｌ，１１４Ｒの駆動に適したレベルに変換後、各々対応した表示パネル１１４Ｌ，１１４Ｒに表示信号を供給する。
【００５１】
この実施例では画像メモリ（ＦＢ）１１２を、入力画像を２分割して、２分割した画像の各最初の画素位置から垂直方向に１ラインずつの交互の読出しを行うのに使用したので、各画像表示デバイス１１４Ｌ，１１４Ｒをそれぞれ長方形の表示画面の長辺を垂直にして配置する構成にしても、信号処理を簡単にすることが出来る。
【００５２】
なお、左右目用の画像に重複部を設ける場合にはその分、右目用の右半分画像の水平スタート信号は進ませるようにする。
すなわち入力画像を画像メモリ１１２に一旦取り込んだ後、前記取り込んだ入力画像の左側の最初の画素位置と前記取り込んだ入力画像の略右半分の画像の最初の画素位置とから、それぞれ垂直方向に１ラインずつ交互に読み出して、前記左右目用の各画像表示デバイスの表示画面に前記垂直方向に１ラインずつ交互に出力させる。
【００５３】
以上により、２枚の各縦表示パネルには左半分の画像、右半分の画像が表示される。
それらを左右各々の目で見ることにより、はじめて左右が合成された入力画面全体が表示される。
【００５４】
以上のように、本実施例では、２つの表示パネルを長辺が縦となるように縦長に配置し、２つの表示パネルの画像を短辺方向につなげる構成としたため、合成後画像のアスペクト比は極端に横長となることはない。
【００５５】
例えば４：３アスペクトの表示パネルを使用した場合、本実施例での合成後画像のアスペクト比は３：２となり、一般的な映像規格に近い値とすることが出来る。重なり量を調整することにより４：３のアスペクト比にすることは容易である。
【００５６】
以上の各実施例は液晶表示パネルを用いて説明したが、自発光表示素子、例えばＥＬ表示素子等を用いた場合も全く同じであり、画像を２つに分け表示することが出来る。
【００５７】
図１１に本発明のＨＭＤ装置の表示パネルの表示により両目で認識される表示画面の一実施例を示した。
図１１（Ａ）は左右の表示パネルが重複部を有している入力画像場合の、両目で認識される表示画面の一実施例である。
【００５８】
また、図１１（Ｂ）は左右に表示に使用されない余白部を有して表示される表示画面の一実施例である。この余白部は船酔い防止の構成とする場合に有効に活用される部分である。
【００５９】
さらにまた、図１１（Ｃ）は縦横の比率が４：３の入力画像を縦横の比率が３：２に変え少し横長にして表示される表示画面の一実施例である。
【００６０】
以上入力画像は２分割して各表示パネルに供給する場合について主に説明したが、これに必ずしも限定されるものではなく、表示パネルの表示画面の寸法の都合で可能であれば左目用画面と右目用画面とを一分重複するようにして各表示画面に表示してもよい。
【００６１】
【発明の効果】
以上に説明した通り、請求項１に記載されたＨＭＤ装置の発明によると、左右目用の各画像表示デバイスはその各画像表示デバイスの長方形の表示画面の長辺を垂直に配置して画面を縦長にして使用し、かつ１枚の入力画像をその左右の表示デバイスに入力画像を略半分ずつに分割して表示させることにより、左右の表示デバイスの画素数を有効に活用した表示を行うことが出来る。
また、その各画像表示デバイスの長方形の表示画面の短辺を垂直に配置して画面を横長にして使用し、かつ１枚の入力画像をその左右の表示デバイスに入力画像を略半分ずつに分割して表示させることにより、左右の表示デバイスの画素数を有効に活用したワイド画面表示を行うことが出来る。
【００６２】
また、解像度が現行のものと同程度でよければ、より画素数の少ない小型の表示デバイスが利用出来るので、より小型軽量のＨＭＤ装置が実現可能になる。
また、現行のものより高解像度表示を更に要求する規格の入力画像が新しく出現しても、その入力画像に対して対応が可能となるものである。
【００６３】
また、現行の実績のある安定した表示デバイスが使用できるので、安価でコスト力のあるＨＭＤ装置が実現可能になる。
【００６４】
また、各々の表示パネルには左半分、右半分の入力画像が分割して分配されて表示され、かつ長方形の表示画面を縦長で使用するので、現行の表示画面を横長で使用する場合より解像度の高い装置を作ることが出来る。
【００６５】
また、請求項２に記載されたＨＭＤ装置の発明によると、取り込んだ入力画像の左側の最初の画素位置と前記取り込んだ入力画像の略右半分の画像の最初の画素位置とから、１ラインずつ交互に読み出しを行うのに画像メモリを使用したので、信号処理が簡単に出来る。
【図面の簡単な説明】
【図１】本発明のＨＭＤ装置の一実施例のブロック構成（ワイド画面構成）を示した図である。
【図２】本発明のＨＭＤ装置の一実施例のブロック構成（縦長画面構成）を示した図である。
【図３】本発明のＨＭＤ装置の表示パネルを駆動する回路の一実施例のブロック構成を示した図である。
【図４】本発明のＨＭＤ装置を構成する表示パネルの駆動回路の一実施例を示した図である。
【図５】本発明のＨＭＤ装置を構成する表示パネルの駆動回路の液晶駆動回路の一実施例を示した図である。
【図６】本発明のＨＭＤ装置を構成する駆動信号処理回路のブロック構成を示した図である。
【図７】本発明のＨＭＤ装置を構成する駆動信号処理回路のブロック構成を示した図である。
【図８】本発明のＨＭＤ装置を構成する駆動信号処理回路のＨＳＴ信号のタイミングチャートの一実施例を示した図である。
【図９】本発明のＨＭＤ装置を構成する駆動信号処理回路のブロック構成を示した図である。
【図１０】本発明のＨＭＤ装置の一実施例を示した図である。
【図１１】本発明のＨＭＤ装置の表示パネルの表示により両目で認識される表示画面の一実施例を示した図であり、同図（Ａ）に左右の表示パネルが重複部を有している場合に両目で認識される表示画面、同図（Ｂ）に左右に表示に使用されない余白部を有して表示される表示画面、同図（Ｃ）には３：２に変えて少し横長にして表示される表示画面の一実施例を示した。
【符号の説明】
１１Ｌ，１１Ｒ　二次元液晶表示デバイス（画像表示デバイス、表示パネル）
１２Ｌ，１２Ｒ　レンズ
１３　演算部（コントローラ）
１４Ｌ，１４Ｒ　ガラス
１５Ｌ，１５Ｒ　ミラー
１６　位置調整入力手段
１７Ｌ，１７Ｒ　駆動回路（ドライバ）
１８　映像入力手段
１９　角度センサ
２１Ｌ，２１Ｒ　眼鏡フレーム
２２　画像表示位置調整ツマミ（ネジ）（画像表示位置調整手段）
３１　水平走査回路
３２　シフトレジスタ回路
３３　サンプリングスイッチ群ＳＷ
３６　垂直走査回路（行走査電極駆動回路）
８１　表示画像信号源
８２Ｌ，８２Ｒ　ラインメモリ回路
８３Ｌ，８３Ｒ　表示パネル駆動回路ＰＤ−Ｌ
９１　表示画像信号源
９２　表示パネル駆動回路ＰＤ
９３Ｌ，９３Ｒ　表示パネル
１１１　表示画像信号源
１１２　フレームバッファ回路（画像メモリ、ＦＢ）
１１３Ｌ，１１３Ｒ　縦ラインメモリ回路ＬＭ−Ｌ、ＬＭ−Ｒ
１１４Ｌ，１１４Ｒ　縦長表示デバイス（表示パネル）
１１４ＬＤ，１１４ＲＤ　表示パネル駆動回路ＰＤ−Ｌ、ＰＤ−Ｒ
１１４ＳＬ，１１４ＳＲ　長方形の表示画面
ａ　左半分の第１番目の縦方向のライン
ｂ　右半分の第１番目の縦方向のライン
Ｃｓ　信号蓄積用の静電容量
Ｄ，Ｄ１，…，Ｄｍ　信号電極（ｍは自然数）
Ｇ１，…，Ｇｎ　選択信号電極（ｎは自然数）
ＨＣＫ　クロック信号
ＨＳＴ　水平同期信号
ＬＣＭ　液晶表示材料層
Ｐｍｎ　画素回路（ｍ、ｎは自然数）
ＳＩＧ　表示信号
Ｔｒ　ＭＯＳトランジスタスイッチ
ＶＣＫ　クロック信号
ＶＳＴ　垂直同期信号
【図１】
2004007315.tif 000003
【図２】
2004007315.tif 000004
【図３】
2004007315.tif 000005
【図４】
2004007315.tif 000006
【図５】
2004007315.tif 000007
【図６】
2004007315.tif 000008
【図７】
2004007315.tif 000009
【図８】
2004007315.tif 000010
【図９】
2004007315.tif 000011
【図１０】
2004007315.tif 000012
【図１１】
2004007315.tif 000013